(57)【要約】  【課題】  本発明は、自動受信可能なファクシミリ装置において、通常の受信を開始する前に中継局から発呼側情報を送信してもらうサービスへの加入を実現することにより、ファクシミリ装置であっても発ＩＤサービスを有効利用を可能にして、便宜性の向上を図ることを目的とする。  【解決手段】  自動的にファクシミリ受信を開始するファクシミリ装置に、発ＩＤサービスを提供する中継局から送信されてくる発ＩＤを変調し受信するＶ．２３モデム21を設け、システム制御部11をその発ＩＤサービスを受ける際の制御手順を実行するように構成するとともに、通常の受信開始前の網制御部13による起動信号の検出に続いてＶ．２３モデム21が変調受信した発ＩＤを発ＩＤ格納部22に格納し操作表示部12に表示させ、ファクシミリ受信の中断命令が入力されたときには途中であってもその受信を強制的に中断させるように構成した。【選択図】  図１
2005312074.tif 000002
【特許請求の範囲】
【請求項１】
公衆回線に接続され、該回線を介する着呼信号を検出して自動的にファクシミリ受信を開始するファクシミリ装置において、
通常の受信を開始する前に中継局から発呼側情報を送信してもらうサービスに加入したとき該サービスを受ける際に中継局から送信されてくる起動信号を検出する信号検出手段と、
前記サービスを受ける際の制御手順を実行する手順実行手段と、
前記サービスを受けることにより送信されてきた発呼側情報を受信する情報受信手段と、
前記サービスを受けることにより受信した発呼側情報を情報表示手段に表示させるとともに該表示を保持させる表示制御手段と、
受信の中断命令が入力されたとき途中であっても該受信を強制的に中断させる中断手段と、を設けたことを特徴とするファクシミリ装置。
【請求項２】
受信を拒否する端末情報を登録する拒否登録手段と、登録されている端末情報と受信した発呼側情報を比較し受信を拒否するか否か判断する拒否判断手段と、受信を拒否すると判断されたとき該自動受信を中止させる受信拒否手段と、を設けたことを特徴とする請求項１記載のファクシミリ装置。
【請求項３】
受信を容認する端末情報を登録する容認登録手段と、登録されている端末情報と受信した発呼側情報を比較し受信を容認するか否かを判断する容認判断手段と、受信を容認すると判断されなかったとき該自動受信を中止させる受信拒否手段と、を設けたことを特徴とする請求項１記載のファクシミリ装置。
【請求項４】
前記サービスにより受信した発呼側情報を格納する受信実績格納手段と、前記中断命令により受信が中断されたときに受信実績格納手段に格納されている中断させた端末の発呼側情報に対応させて中断情報を格納する中断実績格納手段と、格納されている中断情報に基づいて該中断回数が予め設定されている設定回数に達したときに該端末の発呼側情報を前記拒否登録手段に登録する拒否登録制御手段と、を設けたことを特徴とする請求項２記載のファクシミリ装置。
【請求項５】
発呼した端末の端末情報を前記容認登録手段に登録する容認登録制御手段を設けたことを特徴とする請求項３記載のファクシミリ装置。
【請求項６】
ファクシミリ受信を実行する際に発呼側から送られてきた端末識別情報を識別する情報識別手段を有するとともに、前記表示制御手段を識別した端末識別情報を情報表示手段に表示させるように構成し、
前記発呼側情報または端末識別情報の何れか一方あるいは双方を表示するか選択する選択手段を設けたことを特徴とする請求項１、２または４の何れかに記載のファクシミリ装置。
【請求項７】
通話およびファクシミリの通信種別を識別可能に受信を容認する端末情報を登録する容認種別登録手段と、登録されている端末情報と受信した発呼側情報を比較し受信を容認するか否かを判断するとともに該通信種別を識別する容認種別判断手段と、受信を容認すると判断され該通信種別として何れか一方のみの登録と識別されたとき該受信を実行する受信実行手段と、を設けたことを特徴とする請求項１記載のファクシミリ装置。
【請求項８】
発呼した端末の端末情報を該通信種別に応じて前記容認種別登録手段に登録する容認種別登録制御手段を設けたことを特徴とする請求項７記載のファクシミリ装置。
【請求項９】
発呼する電話番号を登録キーに対応させて登録する番号登録手段と、受信した発呼側情報あるいは入力した端末情報の電話番号を格納または登録する番号メモリ機能と、を有し、
番号登録手段に登録された電話番号または番号メモリ機能に格納／登録された電話番号を前記表示制御手段により情報表示手段に表示させ選択された一方の電話番号を他方にメモリさせるメモリ制御手段を設けたことを特徴とする請求項１、３、５、７または８の何れかに記載のファクシミリ装置。
【発明の詳細な説明】
【技術分野】
【０００１】
本発明は、ファクシミリ装置に関し、詳しくは、通常の受信を開始する前に中継局から発呼側情報を送信してもらうサービスに加入して便宜性を向上させることのできるファクシミリ装置に関する。
【背景技術】
【０００２】
従来より、公衆回線に接続された通信装置（電話機）には、間違い電話やいたずら電話等は拒否できるようにしてほしいという要望があった。この要望に応えるために、発呼側の電話番号などの情報、所謂発ＩＤを着呼側に通常の受信を開始する前に通知する発ＩＤサービスがある。この発ＩＤサービスに加入すると、呼出ベルが鳴動する前に発ＩＤをディスプレイに表示することができるようになり、着呼側ではその発呼側の電話番号などを見て拒否するか否かを判断することができ、いたずら電話などを拒否することができる。また、拒否する電話番号を予め登録しておくことにより受信する前に発呼側に対して音声メッセージで受信拒否を通知する付加サービスもある。
【０００３】
なお、この発ＩＤサービスに対応して工夫された通信装置は、例えば、特開平４−３４９７５２号公報や特開平６−１５２７５３号公報に記載されており、前者は第２呼出信号の出力を工夫したもので、後者は通話中のときにその着呼側に発ＩＤを表示できるようにして着呼があったことを即時通知できるように工夫したものである。
【発明の開示】
【発明が解決しようとする課題】
【０００４】
しかしながら、上述した発ＩＤサービスは電話機では有効に利用することができるが、自動受信機能を備えるファクシミリ装置では、自動的に受信を開始してしまうとともに、オペレータが設置場所の近くにいないことが多く、発ＩＤサービスのメリットを享受することができないという問題があった。
そこで、本発明は、ファクシミリ装置であっても発ＩＤサービスを有効利用して便宜性の向上を図るとともに、利用する際の操作性の向上を図ることを目的とする。
【課題を解決するための手段】
【０００５】
上記目的達成のため、請求項１記載の発明は、公衆回線に接続され、該回線を介する着呼信号を検出して自動的にファクシミリ受信を開始するファクシミリ装置において、通常の受信を開始する前に中継局から発呼側情報を送信してもらうサービスに加入したとき該サービスを受ける際に中継局から送信されてくる起動信号を検出する信号検出手段と、前記サービスを受ける際の制御手順を実行する手順実行手段と、前記サービスを受けることにより送信されてきた発呼側情報を受信する情報受信手段と、前記サービスを受けることにより受信した発呼側情報を情報表示手段に表示させるとともに該表示を保持させる表示制御手段と、受信の中断命令が入力されたとき途中であっても該受信を強制的に中断させる中断手段と、を設けたことを特徴とするものである。
【０００６】
この請求項１記載の発明では、中継局から送信されてきた起動信号が検出された後にサービスを受ける際の制御手順が実行されて、そのサービスにより送信されてきた発呼側情報が受信・表示されその表示は保持される。そして、オペレータがその発呼側情報を確認して中断命令を入力した場合には途中であってもそのファクシミリ受信は強制的に中断され、中断命令の入力のない場合にはそのままファクシミリ受信は継続される。したがって、受信したくない、例えば何度もいたずらのファクシミリをしてくる端末の電話番号などを確認することができ、その電話番号などであった場合には途中でも受信を拒否することができる。
【０００７】
請求項２記載の発明は、請求項１記載の発明の構成に加え、受信を拒否する端末情報を登録する拒否登録手段と、登録されている端末情報と受信した発呼側情報を比較し受信を拒否するか否か判断する拒否判断手段と、受信を拒否すると判断されたとき該自動受信を中止させる受信拒否手段と、を設けたことを特徴とするものである。
【０００８】
この請求項２記載の発明では、受信を拒否する例えば、電話番号などの端末情報を登録しておくことにより、サービスにより送信されてきた発呼側情報の電話番号が登録されている電話番号など比較され受信を拒否すると判断されたときにはその自動受信が中止される。したがって、設置場所にオペレータがいなくても受信を拒否する相手先からであった場合にはその受信を自動的に拒否される。
【０００９】
請求項３記載の発明は、請求項１記載の発明の構成に加え、受信を容認する端末情報を登録する容認登録手段と、登録されている端末情報と受信した発呼側情報を比較し受信を容認するか否かを判断する容認判断手段と、受信を容認すると判断されなかったとき該自動受信を中止させる受信拒否手段と、を設けたことを特徴とするものである。
【００１０】
この請求項３記載の発明では、受信を容認する例えば、電話番号などの端末情報を登録しておくことにより、サービスにより送信されてきた発呼側情報の電話番号などが登録されている電話番号と比較され受信を容認すると判断されなかったときにはその自動受信が中止される。したがって、設置場所にオペレータがいなくても受信を容認する以外の相手先からであった場合にはその受信を自動的に拒否される。
【００１１】
請求項４記載の発明は、請求項２記載の発明の構成に加え、前記サービスにより受信した発呼側情報を格納する受信実績格納手段と、前記中断命令により受信が中断されたときに受信実績格納手段に格納されている中断させた端末の発呼側情報に対応させて中断情報を格納する中断実績格納手段と、格納されている中断情報に基づいて該中断回数が予め設定されている設定回数に達したときに該端末の発呼側情報を前記拒否登録手段に登録する拒否登録制御手段と、を設けたことを特徴とするものである。
【００１２】
この請求項４記載の発明では、サービスにより受信した発呼側情報およびその中断情報が対応されて格納され、中断回数が予め設定されている設定回数に達したときにはその発呼側情報が受信を拒否する端末情報として登録される。したがって、中断実績のある端末は拒否する相手先として自動登録される。
請求項５記載の発明は、請求項３記載の発明の構成に加え、発呼した端末の端末情報を前記容認登録手段に登録する容認登録制御手段を設けたことを特徴とするものである。
【００１３】
この請求項５記載の発明では、発呼した端末の端末情報が受信を容認する相手先として登録される。したがって、発呼する相手先からの受信は容認するのは当然であり、発呼する操作によりその端末情報を自動登録することができる。
請求項６記載の発明は、請求項１、２または４の何れかに記載の発明の構成に加え、ファクシミリ受信を実行する際に発呼側から送られてきた端末識別情報を識別する情報識別手段を有するとともに、前記表示制御手段を識別した端末識別情報を情報表示手段に表示させるように構成し、前記発呼側情報または端末識別情報の何れか一方あるいは双方を表示するか選択する選択手段を設けたことを特徴とするものである。
【００１４】
この請求項６記載の発明では、ファクシミリ受信を実行する際に識別された端末識別情報またはサービスにより受信した発呼側情報の選択入力された一方あるいは双方が表示される。したがって、確認したい発呼側情報の表示が意に反して例えば、端末識別情報の相手先名称などに自動的に切り替わってしまうことがない。
【００１５】
請求項７記載の発明は、請求項１記載の発明の構成に加え、通話およびファクシミリの通信種別を識別可能に受信を容認する端末情報を登録する容認種別登録手段と、登録されている端末情報と受信した発呼側情報を比較し受信を容認するか否かを判断するとともに該通信種別を識別する容認種別判断手段と、受信を容認すると判断され該通信種別として何れか一方のみの登録と識別されたとき該受信を実行する受信実行手段と、を設けたことを特徴とするものである。
【００１６】
この請求項７記載の発明では、通話およびファクシミリの通信種別を識別可能に受信を容認する端末情報を登録しておくことにより、サービスにより送信されてきた発呼側情報が登録されている端末情報と比較され受信を容認すると判断されたときにはその端末情報に対応して登録されている通信種別の通信が実行される。したがって、通話機能およびファクシミリ機能を利用するファクシミリ装置の通信種別に応じて実行される受信機能の切替制御の時間が省かれる。
【００１７】
請求項８記載の発明は、請求項７記載の発明の構成に加え、発呼した端末の端末情報を該通信種別に応じて前記容認種別登録手段に登録する容認種別登録制御手段を設けたことを特徴とするものである。
この請求項８記載の発明では、発呼した端末の端末情報がその通信種別を識別可能に登録される。したがって、発呼する操作によりその端末情報およびその通信種別が自動登録される。
【００１８】
請求項９記載の発明は、請求項１、３、５、７または８の何れかに記載の発明の構成に加え、発呼する電話番号を登録キーに対応させて登録する番号登録手段と、受信した発呼側情報あるいは入力した端末情報の電話番号を格納または登録する番号メモリ機能と、を有し、番号登録手段に登録された電話番号または番号メモリ機能に格納／登録された電話番号を前記表示制御手段により情報表示手段に表示させ選択された一方の電話番号を他方にメモリさせるメモリ制御手段を設けたことを特徴とするものである。
【００１９】
この請求項９記載の発明では、発ＩＤサービスにより受信し格納した発呼側情報の電話番号や有効利用するために登録した端末情報の電話番号、または、登録キーによるワンタッチ／短縮ダイヤル等するための電話番号のいづれか一方がメモリ（格納／登録）されている場合に、その電話番号を表示させ選択することにより、そのまま他方の電話番号としてメモリすることができる。したがって、受信のあった発呼側の電話番号や受信を容認するとして登録した端末の電話番号または発呼するとして登録した端末の電話番号の一方を転用して入力手段から入力することなく他方にメモリさせることができる。
【００２０】
ここで、前記格納手段に格納された情報や登録手段に登録された情報は、情報表示手段に表示可能に構成してもよく、さらにその情報を入力手段により変更／消去したり入力できるように構成してもよい。
なお、前記発呼側情報や端末情報としては、本発明を実行するのに電話番号が容易に利用することができ好適であるが、これに限らず、他の識別番号や識別情報であってもよい。
【発明の効果】
【００２１】
請求項１記載の発明によれば、所謂発ＩＤサービスに加入して発呼側情報を表示・保持することができ、その発呼側情報をオペレータが確認して中断命令を入力した場合には途中であってもその受信を強制的に中断することができ、中断命令を入力しない場合にはそのまま受信を継続することができるので、ファクシミリ装置であっても発ＩＤサービスを有効利用することができるとともに、受信したくない、例えば何度もいたずらのファクシミリしてくる、あるいは知らない相手先などであった場合には途中でも受信を拒否することができ、記録紙を無駄にしてしまうことも防止することができる。したがって、ファクシミリ装置の便宜性の向上を図ることができる。
【００２２】
請求項２記載の発明によれば、送信されてきた発呼側情報を受信拒否するとして登録した端末情報と比較し受信を拒否する相手先と判断したときにはその自動受信を中止することができるので、設置場所にオペレータがいなくても受信を拒否したい例えば、いたずらで発呼してきたことのある相手先からであった場合にはその受信を自動的に拒否することができ、受信の拒否を確実に実行することができ、便宜性をより向上させることができる。
【００２３】
請求項３記載の発明によれば、送信されてきた発呼側情報を受信を容認するとして登録した端末情報と比較し受信を容認する以外の相手先と判断したときにはその自動受信を中止することができるので、設置場所にオペレータがいなくても受信する必要のない例えば、いたずらで発呼してきた相手先や知らない例えば、間違いで発呼してきた相手先からであった場合にはその受信を自動的に拒否することができ、受信の拒否をより確実に実行することができ、便宜性をより向上させることができる。
【００２４】
請求項４記載の発明によれば、中断回数が設定回数に達した受信の発呼側情報を受信を拒否する端末情報として登録することができるので、中断実績のある端末を拒否する相手先として自動登録することができる。このため、例えば、いたずらで何度も発呼してくる端末の電話番号などをメモすることなく、また設置場所にオペレータがいなくてもそれからの受信を自動的に拒否する相手先として自動登録することができる。したがって、発ＩＤサービスを有効利用するための操作性を向上させることができる。
【００２５】
請求項５記載の発明によれば、発呼した端末情報を受信を容認する相手先として登録することができるので、ファクシミリ通信で情報交換する相手先を発呼する操作により自動登録することができる。このため、新規の相手先からの受信を容認するだけのためにその端末情報を調べて入力操作を行なう必要がなく、１回でも相手先を発呼するだけでその端末情報を登録することができる。したがって、発ＩＤサービスを有効利用するための操作性を向上させることができる。
【００２６】
請求項６記載の発明によれば、ファクシミリ通信の端末識別情報および発ＩＤサービスの発呼側情報の双方を受信した場合であっても選択した一方あるいは双方を表示することができるので、確認したい情報表示が意に反して発呼側情報から端末識別情報に自動的に切り替わってしまうことがなく、例えば、いたずらで発呼してきた相手先を確実に確認して受信拒否することができ、その発呼側情報（端末情報）を受信を拒否する相手先として登録することができる。したがって、発ＩＤサービスを有効利用するための操作性および便宜性を向上させることができる。
【００２７】
請求項７記載の発明によれば、送信されてきた発呼側情報を受信を容認するとして登録した端末情報と比較するとともにその通信種別を識別し、受信を容認すると判断したときにはその識別した通信種別の通信を実行することができるので、通話機能およびファクシミリ機能を利用する場合でも受信機能の切替制御時間を省き、その受信を開始することができる。したがって、特にファクシミリ受信を迅速に開始することができ、便宜性をより向上させることができる。
【００２８】
請求項８記載の発明によれば、発呼した端末情報をその通信種別を識別可能に登録することができるので、情報交換する相手先を発呼する操作によりその通信種別で迅速に受信可能に自動登録することができる。このため、新規の相手先からの受信を容認するだけのためにその端末情報および通信種別を調べて入力操作を行なう必要がなく、１回でも相手先を発呼するだけでその端末情報を通信種別に応じて登録することができる。したがって、発ＩＤサービスを有効利用するための操作性を向上させることができる。
【００２９】
請求項９記載の発明によれば、発ＩＤサービスまたはワンタッチ／短縮ダイヤルなどの電話番号の一方がメモリ（格納／登録）されることにより、その電話番号を表示選択するだけでそのまま他方の電話番号として登録することができので、電話番号の入力を省いてメモリ情報を転用して登録することができる。特に、発ＩＤサービスで受信した発呼側情報の電話番号を転用してワンタッチ／短縮キーに対応させて登録する場合には電話番号の入力の必要がない。したがって、操作性をより向上させることができる。
【発明を実施するための最良の形態】
【００３０】
以下、本発明を図面に基づいて説明する。
図１および図２は本発明に係るファクシミリ装置の第１実施形態を示す図であり、本実施形態は請求項１記載の発明に対応している。
図１において、ファクシミリ装置は、内蔵するメモリ機能を利用し格納されているプログラムに従って装置各部を統括制御するとともに本発明の各種処理を実行するシステム制御部11と、駆動条件、装置状態、あるいは入力情報などの各種情報を表示する表示器（情報表示手段）および各種の設定や命令等の入力操作するキーを備えオペレータとのコミュニケーションをとる操作表示部12と、電話回線（公衆回線）に接続され着呼信号の検出や発呼、直流ループの形成を行なう網制御部13と、画像データや各種手順信号を変復調するモデム14と、網制御部13およびモデム14を介してファクシミリ通信のプロトコルを実行し画像データを送受信する通信制御部15と、送信する画像データをデータを圧縮して符号化する一方、受信した画像データを伸長して復号化する符号化復号化部16と、送信する原稿から画像を読み取って画像データに変換するスキャナ17と、読取あるいは受信した画像データに基づいて記録媒体により画像を用紙に記録して出力するプロッタ18と、がバス19を介して接続されており、本実施形態においては網制御部13とバス19の間にＶ．２３モデム21を接続するとともに発ＩＤ格納部22をバス19に接続している。
【００３１】
このファクシミリ装置は、通常の受信を開始する前に発呼側の電話番号などの情報（所謂、発ＩＤ）を送信してもらう発ＩＤサービスに加入可能に構成されており、網制御部13が発ＩＤサービスを提供する交換機（中継局）から送信されてきた起動信号を検出する信号検出手段を構成し、Ｖ．２３モデム21が送信されてくる発ＩＤを復調し受信する情報受信手段を構成し、システム制御部11が発ＩＤサービスを受ける際の制御手順（応答信号や完了信号の送出など）を実行する、所謂、発ＩＤ受信端末として必要な機能を備えた手順実行手段を構成するとともに受信し発ＩＤ格納部22に格納（記憶）した発ＩＤの発呼側情報（電話番号など）を操作表示部12の図12に図示する表示器12ａに表示させ保持する表示制御手段を構成している。また、システム制御部11は、操作表示部12から中断命令が入力、例えば図示していないストップキーが押下されたとき強制的に回線を切断する動作を実行させるようになっており、中断手段も構成している。
【００３２】
次に、本実施形態による発ＩＤの受信およびファクシミリ受信の処理を図２のフローチャートを用いて作用とともに説明する。
まず、接続されている回線の極性が反転（極反）された（ステップＰ11）後に、発ＩＤサービスを受ける受信端末に送信する起動信号が送られてくる（ステップＰ12）と、これをトリガとして直流ループが形成される（ステップＰ13）。
【００３３】
次いで、続いて送信されてくる発ＩＤデータがＶ．２３モデム21を介して受信され（ステップＰ14）、受信した発ＩＤデータは発ＩＤ格納部22に格納されるとともに、操作表示部12の図12に図示する表示器12ａにＩＤ（少なくとも電話番号を含む発呼側情報）が表示される（ステップＰ15）。
この後に、直流ループの切断が行なわれた（ステップＰ16）後に、通常のファクシミリ通信による着呼を待って自動受信によるファクシミリ受信が開始される（ステップＰ17）。
【００３４】
そして、画像データの受信が終了する前にオペレータが操作表示部12の表示を確認してストップキーを押下したときにはその中断命令に基づき強制的に回線を切断する動作が実行される（通常の回線切断制御手順を実行し切断命令信号ＤＣＮを送出してもよい）、一方、中断命令が入力されないときにはそのままファクシミリ受信が継続されて画像データの受信が終了した後に回線を切断する通常の動作が実行される（ステップＰ18、Ｐ19）。
【００３５】
したがって、相手先が判らないときには必要なファクシミリ画像（文書）であるかも知れず、またファクシミリ受信を途中で拒否することもできなかったが、ファクシミリ受信する必要のない知らない相手先の発呼側情報であった場合や、以前にいたずらで無駄な画像（例えば、何頁にも亙る画像）をファクシミリ送信してきた発呼側情報と同一であった場合に強制的に途中で回線を切断して受信を拒否することができる。
【００３６】
このように本実施形態においては、発ＩＤサービスに加入することにより送信されてくる相手先の発ＩＤを表示することができ、その発ＩＤをオペレータが確認してファクシミリ受信したくない相手先の発ＩＤであった場合にはストップキーを押下することによりその受信を強制的に中断することができる一方、ファクシミリ受信を拒否する必要のない相手先の発ＩＤであった場合にはそのまま継続することができる。したがって、ファクシミリ装置であっても発ＩＤサービスを有効利用することができ、記録紙の無駄を防止することができる。この結果、便宜性の向上を図ることができる。
【００３７】
次に、図３〜図５は本発明に係るファクシミリ装置の第２実施形態を示す図であり、本実施形態は請求項２記載の発明に対応している。なお、本実施形態は、上述第１実施形態と略同様に構成されているため図１を流用し同様な構成には同一の符号を付してその説明を省略する（以降の実施形態の説明においても同様とする）。
【００３８】
図３において、31はバス19に接続された受信拒否番号格納部であり、この受信拒否番号格納部31はファクシミリ受信を拒否する相手先の例えば、電話番号（端末情報）を予め操作表示部12から入力して格納（登録）することができ、システム制御部11はファクシミリ受信に先だって送信されてきた発ＩＤの電話番号を発ＩＤ格納部22から読み出して受信拒否番号格納部31に登録されているか比較し登録済みで受信を拒否する相手先からであると判断したときには自動受信機能を動作させず（中止して）そのファクシミリ受信を拒否する。すなわち、受信拒否番号格納部31が拒否登録手段を構成し、システム制御部11が拒否判断手段および受信拒否手段を構成している。なお、受信拒否番号格納部31に登録した電話番号を操作表示部12に表示させて確認したり、選択消去できるようにして誤って登録された相手先からのファクシミリ送信の受信を容認可能に復帰できるようにした方が好適であることはいうまでもない。
【００３９】
次に、本実施形態でファクシミリ受信を拒否する相手先の登録を図４のフローチャートを用いて説明する。
まず、オペレータにより操作表示部12からファクシミリ受信を拒否する相手先の登録が選択される（ステップＰ21）と、操作表示部12の表示器12ａが電話番号の入力を促す画面となってオペレータがテンキーにより入力した番号が受信拒否番号格納部31に格納され登録される（ステップＰ22）。
【００４０】
次に、本実施形態による発ＩＤの受信およびファクシミリ受信の処理を図５のフローチャートを用いて作用とともに説明する。なお、ここでは上述第１実施形態と同様に処理するステップには同一のステップ数を付してその説明を簡単にする。
発呼側でファクシミリ送信が実行されることにより、ステップＰ11〜Ｐ16が行なわれ、送信されてきた発ＩＤデータの受信および格納・表示が行なわれる。この後に、通常のファクシミリ通信を行なうための着呼がある（ステップＰ31）と、発ＩＤ格納部22に格納した電話番号が受信拒否番号格納部31に予め登録してある電話番号に含まれているか比較され（ステップＰ32）、受信拒否番号格納部31に該当する電話番号が登録されてない場合にはステップＰ17〜Ｐ19と同様に自動受信によるファクシミリ受信が実行される（ステップＰ33）、一方、受信拒否番号格納部31に該当する電話番号が登録されていた場合には自動受信動作が制限（中止）される（ステップＰ34）。
【００４１】
したがって、ファクシミリ装置の設置場所にオペレータがいなくても予め登録しておいた受信を拒否する相手先からのファクシミリ送信であった場合にはその受信を自動的に拒否することができ、例えば以前にいたずらで無駄な画像をファクシミリ送信してきた相手先と同一であった場合に強制的に受信を拒否することができる。
【００４２】
このように本実施形態においては、上述実施形態の作用効果に加え、設置場所にオペレータがいなくても受信を拒否したい相手先からのファクシミリ送信であった場合にはその受信を自動的に拒否することができる。したがって、受信の拒否を確実に実行することができ、便宜性をより向上させることができる。
なお、本実施形態では、上述第１実施形態に拒否登録手段、拒否判断手段および受信拒否手段を追加した構成となっているが、上述第１実施形態の中断手段を省いた構成にしてもよいことはいうまでもない。ただ、未登録のファクシミリ受信でも中断命令を入力することによりその受信を途中で拒否することができるので、本実施形態のように構成するのが好適である。
【００４３】
次に、図６〜図８は本発明に係るファクシミリ装置の第３実施形態を示す図であり、本実施形態は請求項３記載の発明に対応している。なお、本実施形態は、上述第１実施形態と略同様に構成されているため同様な構成には同一の符号を付してその説明を省略する。
図６において、41はバス19に接続された受信容認番号格納部であり、この受信容認番号格納部41は拒否することなくファクシミリ受信する、つまり受信を容認する相手先の例えば、電話番号（端末情報）を予め操作表示部12から入力して格納（登録）することができ、システム制御部11はファクシミリ受信に先だって送信されてきた発ＩＤの電話番号を発ＩＤ格納部22から読み出して受信容認番号格納部41に登録されているか比較し登録されておらず受信を拒否する相手先からであると判断したときには自動受信機能を動作させず（中止して）そのファクシミリ受信を拒否する。すなわち、受信容認番号格納部41が容認登録手段を構成し、システム制御部11が容認判断手段および受信拒否手段を構成している。なお、受信許容番号格納部41に登録した電話番号を操作表示部12に表示させ確認したり、選択消去できるようにしてもよいことはいうまでもない。
【００４４】
次に、本実施形態でファクシミリ受信を容認する相手先の登録を図７のフローチャートを用いて説明する。
まず、オペレータにより操作表示部12からファクシミリ受信を容認する相手先の登録が選択される（ステップＰ41）と、操作表示部12の表示器12ａが電話番号の入力を促す画面となってオペレータがテンキーにより入力した番号が受信容認番号格納部41に格納され登録される（ステップＰ42）。
【００４５】
次に、本実施形態による発ＩＤの受信およびファクシミリ受信の処理を図８のフローチャートを用いて作用とともに説明する。なお、ここでは上述第１実施形態と同様に処理するステップには同一のステップ数を付してその説明を簡単にする。
発呼側でファクシミリ送信が実行されることにより、ステップＰ11〜Ｐ16が行なわれ、送信されてきた発ＩＤデータの受信および格納・表示が行なわれる。この後に、通常のファクシミリ通信を行なうための着呼がある（ステップＰ51）と、発ＩＤ格納部22に格納した電話番号が受信容認番号格納部41に予め登録してある電話番号に含まれているか比較され（ステップＰ52）、受信容認番号格納部41に該当する電話番号が登録されている場合にはステップＰ17〜Ｐ19と同様に自動受信によるファクシミリ受信が実行される（ステップＰ53）、一方、受信容認番号格納部41に該当する電話番号が登録されていない場合には自動受信動作が制限（中止）される（ステップＰ54）。
【００４６】
したがって、ファクシミリ装置の設置場所にオペレータがいなくても予め登録しておいた受信を容認する相手先以外からのファクシミリ送信であった場合にはその受信を自動的に拒否することができ、ファクシミリ通信する相手先のみを登録しておくことにより、例えばいたずらで発呼してきた相手先や間違いで発呼してきた相手先からのファクシミリ受信を自動的に拒否することができる。
【００４７】
このように本実施形態においては、上述実施形態の作用効果に加え、設置場所にオペレータがいなくてもファクシミリ受信は受信を容認する相手先からのみとすることができ、拒否したい相手先（知らない相手先を含む）からのファクシミリ送信であった場合にはその受信を自動的に拒否することができる。したがって、受信の拒否を確実に実行することができ、便宜性をより向上させることができる。
【００４８】
なお、本実施形態では、上述第１実施形態に容認登録手段、容認判断手段および受信拒否手段を追加した構成となっているが、容認する以外の相手先からのファクシミリ送信は拒否するので、上述第１実施形態の中断手段を省いた構成にしても問題ないことはいうまでもない。
次に、図９および図10は本発明に係るファクシミリ装置の第４実施形態を示す図であり、本実施形態は請求項４記載の発明に対応している。なお、本実施形態は、上述第２実施形態と略同様に構成されているため同様な構成には同一の符号を付してその説明を省略する。
【００４９】
図９において、発ＩＤ格納部22は、送信されてきた発ＩＤを記憶しておき受信実績を格納するとともにその電話番号に対応させて中断命令の入力による中断情報を格納可能に構成されており、システム制御部11は中断命令の入力によりファクシミリ受信を中断したときに発ＩＤ格納部22にその中断情報を蓄積した中断回数（中断実績）を電話番号に対応させて格納する。そして、システム制御部11は、発ＩＤ格納部22に格納されている中断回数が予め設定されている設定回数ｎ（１以上の自然数）に達したとき図３に示す受信拒否番号格納部31にその電話番号を登録するようになっている。すなわち、発ＩＤ格納部22は受信実績格納手段および中断実績格納手段を構成し、システム制御部11が拒否登録制御手段を構成している。なお、発ＩＤ格納部22に格納されている電話番号や中断実績を操作表示部12に表示させ確認できるようにしてもよいことはいうまでもない。
【００５０】
次に、本実施形態でファクシミリ受信を拒否する相手先の登録を図10のフローチャートを用いて説明する。なお、ここでは図２のフローチャートを流用してその説明を簡単にする。
発呼側でファクシミリ送信が実行されることにより、ステップＰ11〜Ｐ16が行なわれ送信されてきた発ＩＤデータの受信および格納・表示が行なわれ、ステップＰ17〜Ｐ19によるファクシミリ受信中（ステップＰ61）にオペレータにより入力された中断命令によって回線が切断されると、中断発生と判断されて（ステップＰ62）その中断情報が発ＩＤ格納部22にその電話番号に対応する中断回数に付加（加算）される（ステップＰ63）。そして、この中断回数が設定回数ｎに達した（ステップＰ64）ときには、受信拒否番号格納部31にその電話番号が登録される（ステップＰ65）。
【００５１】
したがって、中断回数が設定以上の履歴（中断実績）がある発呼側の電話番号を拒否する相手先として自動登録することができ、例えば以前にいたずらでファクシミリ送信してきた相手先と同一であった場合に自動的にその受信を拒否することができる。
このように本実施形態においては、上述実施形態の作用効果に加え、設置場所にオペレータがいなくても受信を拒否した履歴のある相手先を拒否する相手先として自動登録することができ、その相手先からのファクシミリ送信であった場合にはその受信を自動的に拒否することができる。したがって、例えば、いたずらで何度も発信してくる相手先の電話番号をメモする必要がなく、また設置場所にオペレータがいなくても中断した履歴のある相手先からの受信を確実に拒否することができる。この結果、操作性および便宜性をより向上させることができる。
【００５２】
次に、図11は本発明に係るファクシミリ装置の第５実施形態を示す図であり、本実施形態は請求項５記載の発明に対応している。なお、本実施形態は、上述第３実施形態と略同様に構成されているため図６も流用して同様な構成には同一の符号を付してその説明を省略する。
本実施形態のシステム制御部11は、発呼した電話番号（端末情報）を受信容認番号格納部41に自動登録するように構成されている。すなわち、システム制御部11により容認登録制御手段を構成している。
【００５３】
次に、本実施形態でファクシミリ受信を容認する相手先の登録を図11のフローチャートを用いて説明する。
まず、オペレータが通常のファクシミリ送信するための操作を行なうことにより発呼動作が開始されると、その操作において操作表示部12から入力された電話番号が受信容認番号格納部41に自動登録された（ステップＰ71）後に、そのファクシミリ送信が実行される（ステップＰ72）。そして、そのファクシミリ送信が終了すると、受信容認番号格納部41に登録した電話番号が読み出されて操作表示部12の表示器12ａに今回のファクシミリ送信（発呼）により登録した電話番号が表示されてその旨がオペレータに通知される（ステップＰ73）。
【００５４】
したがって、ファクシミリ送信する相手先は当然に受信することがあるが、そのファクシミリ受信を容認する相手先の登録を特に行なうことなく、ファクシミリ送信する操作時にその電話番号を受信を容認する相手先として登録することができる。
このように本実施形態においては、上述実施形態の作用効果に加え、ファクシミリ通信で情報交換する相手先をファクシミリ送信するために発呼する電話番号の入力操作で受信を容認する相手先として自動登録することができ、登録するためだけに電話番号を調べて入力操作を行なう必要がなく、１回でも相手先にファクシミリ送信するだけでその相手先を登録することができる。したがって、発ＩＤサービスを有効利用するための操作性を向上させることができる。
【００５５】
次に、図12および図13は本発明に係るファクシミリ装置の第６実施形態を示す図であり、本実施形態は請求項６記載の発明に対応している。なお、本実施形態は上述第１実施形態に適用したものであるが他の第２〜５実施形態にも適用可能である。
図12において、操作表示部12は、各種情報および送信されてきた発ＩＤを表示する表示器12ａを備えるとともに、入力キーとして表示器12ａに表示する情報としてその発ＩＤの表示を保持するか、ファクシミリ受信時に発呼側から送られてきた端末識別情報（相手先名称）の表示を保持するか、あるいは発ＩＤおよび端末識別情報を交互に所定の時間間隔で表示するか選択する切替キー12ｂが設けられている。発呼側から送られてきた端末識別情報はシステム制御部11が識別し内蔵するメモリ機能に一時記憶するようになっており、このシステム制御部11は、切替キー12ｂの選択に従って発ＩＤ／端末識別情報を発ＩＤ格納部22／メモリ機能から読み出して表示器12ａに表示させる。すなわち、システム制御部11が情報識別手段を構成し、切替キー12ｂが選択手段を構成している。
【００５６】
次に、本実施形態による表示情報の切替を図13のフローチャートを用いて説明する。なお、ここでは上述第１実施形態と同様に処理するステップには同一のステップ数を付してその説明を簡単にする。
発呼側でファクシミリ送信が実行されることにより、ステップＰ11〜Ｐ16が行なわれ、送信されてきた発ＩＤデータの受信および格納・表示が行なわれる。この後に、通常のファクシミリ通信を行なうための着呼がある（ステップＰ81）と、切替キー12ｂにより発ＩＤおよび相手先名称（端末識別情報）の交互表示が選択されている場合（ステップＰ82）にはその交互表示を行ない（ステップＰ83）、発ＩＤの表示が選択されている場合（ステップＰ84）にはそのまま発ＩＤの表示を保持し（ステップＰ85）、相手先名称の表示が選択されている場合（ステップＰ86）には表示を相手先名称に切り替える（ステップＰ87）。
【００５７】
そして、ファクシミリ受信が終了するまで発ＩＤおよび／または相手先名称の上記表示を実行する（ステップＰ88）。
したがって、発ＩＤサービスにより発ＩＤ情報が、ファクシミリ受信時に端末識別情報の相手先名称が送られてきても、選択キー12ｂによる選択に従って発ＩＤおよび／または相手先名称が表示されるので、オペレータが発ＩＤ情報を利用したいにも拘らず相手先名称に表示が切り替わってしまうことがなく、オペレータの選択によりそれらの双方または何れか一方を表示させることができる。
【００５８】
このように本実施形態においては、上述実施形態の作用効果に加え、相手先名称を受信する前に発ＩＤを受信することになるが、オペレータの選択により双方あるいは何れか一方を表示することができ、確認したい情報の表示が自動的に切り替わってしまいその情報が不明になってしまうことがない。そのため、例えば、いたずらで発呼してきた相手先を確実に確認することができ、特に上述第２、４実施形態ではその発呼側電話番号（発ＩＤ）を受信を拒否する相手先として登録することができる。したがって、発ＩＤサービスを有効利用するための操作性および便宜性を向上させることができる。
【００５９】
次に、図14〜図16は本発明に係るファクシミリ装置の第７実施形態を示す図であり、本実施形態は請求項７記載の発明に対応している。なお、本実施形態は、上述第３施形態と略同様に構成されているため図６も流用して同様な構成には同一の符号を付してその説明を省略する。
ファクシミリ装置は、一般的に図示していないがハンドセット（受話器）による通話機能を備えているが、本実施形態は自動切替モードを備え発呼側からの通信種別に応じた自動切替を行ない通話あるいはファクシミリ受信することができる。
【００６０】
また、本実施形態の受信容認番号格納部41は、図14に示すように、ファクシミリ受信だけでなく通話を容認する相手先の電話番号も予め操作表示部12から入力して格納（登録）することができるように構成されており、この受信容認番号格納部41には、登録した電話番号に対応させて通信可能な通話（ＴＥＬ）またはファクシミリ（ＦＡＸ）の通信種別の識別情報を格納することができる。そして、システム制御部11はファクシミリ受信に先だって送信されてきた発ＩＤの電話番号を発ＩＤ格納部22から読み出して受信容認番号格納部41に登録されているかを比較し、登録されておらず受信を拒否する相手先からであると判断したときには自動受信機能を動作させず（中止して）そのファクシミリ受信を拒否するが、登録されている場合にはその通信種別はＴＥＬまたはＦＡＸの何れで登録されているか識別してＦＡＸのときにはそのままファクシミリ通信制御を実行し、ＴＥＬのときにはその種別による自動切替機能を動作させつつ通話を可能に呼出ベルを鳴動させる。すなわち、受信容認番号格納部41により容認種別登録手段が構成され、システム制御部11が容認種別判断手段および受信実行手段を構成している。
【００６１】
次に、本実施形態で受信を容認する相手先の登録を図15のフローチャートを用いて説明する。
まず、オペレータにより操作表示部12から受信を容認する相手先の登録が選択される（ステップＰ91）と、操作表示部12の表示器12ａが電話番号やその通信種別の入力を促す画面となってオペレータがテンキーなどにより入力した番号および種別が受信容認番号格納部41に格納され登録される（ステップＰ92）。
【００６２】
次に、本実施形態による発ＩＤの受信および通話／ファクシミリの受信処理を図16のフローチャートを用いて作用とともに説明する。なお、ここでは登録済みの発呼側からの受信を実行する場合を説明し、上述第３実施形態と同様に処理するステップには同一のステップ数を付してその説明を簡単にする。
発呼側でファクシミリ送信が実行されることにより、ステップＰ11〜Ｐ16が行なわれ、送信されてきた発ＩＤデータの受信および格納・表示が行なわれる。この後に、通常時の着呼がある（ステップＰ101）と、ステップＰ52〜Ｐ54が行なわれ、直流ループを形成した後に、発ＩＤ格納部22に格納した電話番号が受信容認番号格納部41に該当する電話番号が登録されていない場合にはその受信が拒否されるが、登録されている場合には本実施形態による受信制御が開始される（ステップＰ102）。
【００６３】
そして、その相手先端末の電話番号に対応して受信容認番号格納部41に格納されている通信種別がＴＥＬのみまたはＴＥＬ／ＦＡＸでＦＡＸのみでない（ステップＰ103）場合には、ファクシミリ信号が相手先から送信されてこないか検出しつつ、電話として通話することもあるため呼出ベルが鳴動され（ステップＰ104）、ファクシミリ信号が検出されたとき（ステップＰ105）にはファクシミリ通信制御が実行される（ステップＰ106）。このとき、ステップＰ104において、オペレータがファクシミリ受信ではないと判断して受話器を取ることにより通話することができる。
【００６４】
一方、ステップＰ103において、相手先端末の電話番号に対応する通信種別がＦＡＸのみである場合には、ステップＰ106に進みファクシミリ信号検出有無を確認する自動切替モードを実行することなく、そのままファクシミリ通信制御が実行される。
したがって、相手先がファクシミリ通信のみの専用端末としている場合には、その電話番号に対応させてその通信種別（ＦＡＸ）の情報を格納させておくことにより、受信した発ＩＤにより受信を容認するとともにその通信種別がＦＡＸのみである場合には自動切替モードを実行することなくファクシミリ通信制御が開始されるので、通話機能およびファクシミリ機能を利用するファクシミリ装置の通信機能の切替制御の時間を省くことができる。
【００６５】
このように本実施形態においては、上述実施形態の作用効果に加え、通話およびファクシミリを兼用して利用されるファクシミリ装置でも、受信を容認する相手先およびその通信種別を登録しておくことにより、受信した発ＩＤの電話番号が受信を容認する相手先として登録されておりその電話番号に対応して格納されている通信種別がＦＡＸのみと識別されたときには、自動切替モードによる切替制御を行なうことなく、ファクシミリ通信制御（手順）を開始することができ、通信機能の切替制御時間を省くことができる。したがって、迅速にファクシミリ通信を開始することができ、便宜性をより向上させることができる。
【００６６】
なお、本実施形態では、通信種別としてＦＡＸのみが格納されている電話番号の場合に、自動切替モードを行なうことなくファクシミリ通信制御を実行するように構成しているが、通信種別としてＴＥＬのみが格納されている電話番号の場合にも同様に自動切替モードを行なうことなく着呼のあった通信種別は通話であることをオペレータに通知するように構成してもよいことはいうまでもない。
【００６７】
また、本実施形態では、上述第３実施形態に適用した一例を説明しているが、ファクシミリ受信を拒否する機能のないファクシミリ装置に適用して迅速なファクシミリ通信制御の開始を実現させることもできる。
次に、図17は本発明に係るファクシミリ装置の第８実施形態を示す図であり、本実施形態は請求項８記載の発明に対応している。なお、本実施形態は、上述第７実施形態と略同様に構成されているため図６および図14も流用して同様な構成には同一の符号を付してその説明を省略する。
【００６８】
本実施形態のシステム制御部11は、ファクシミリ送信するために発呼した電話番号（端末情報）を受信容認番号格納部41に自動登録するとともに、その送信の可否に応じてＦＡＸまたはＴＥＬの通信種別の識別情報をその電話番号に対応させ受信容認番号格納部41に格納する。すなわち、システム制御部11により容認種別登録制御手段を構成している。
【００６９】
次に、本実施形態で受信を容認する相手先の登録を図17のフローチャートを用いて説明する。
まず、オペレータが通常のファクシミリ送信するための操作を行なうことにより発呼動作が開始される（ステップＰ111）と、その通信種別が認識され（ステップＰ112）、ファクシミリ送信であると認識された場合には操作表示部12から入力された電話番号が受信容認番号格納部41に自動登録されるとともにその電話番号に対応して相手先はファクシミリ通信する端末としてＦＡＸの種別識別情報が格納される（ステップＰ113）、一方ファクシミリ通信できない、つまり通話であると認識された場合には受信容認番号格納部41への電話番号の自動登録とともにその電話番号に対応して相手先は通話通信する端末としてＴＥＬの種別識別情報が格納される（ステップＰ114）。
【００７０】
そして、その相手先からの着呼があったときには、上述第７実施形態と同様な受信制御が行なわれ、ファクシミリ通信する相手先からの受信である場合には自動切替モードを実行することなくファクシミリ通信制御が開始される。
したがって、発呼した相手先端末の通信種別の識別情報が相手先を発呼する操作により、その電話番号とともに識別可能に特別な登録操作することなく自動登録される。
【００７１】
このように本実施形態においては、上述実施形態の作用効果に加え、発呼した電話番号をその通信種別を識別可能に登録することができるので、相手先を発呼する操作によりその通信種別を識別して自動登録することができる。このため、新規の相手先からの受信を容認するだけのためにその電話番号および通信種別を調べて入力操作を行なう必要がなく、１回でも相手先を発呼するだけでその電話番号とともに通信種別を登録することができる。したがって、発ＩＤサービスを有効利用するための操作性を向上させることができる。
【００７２】
次に、図18および図19は本発明に係るファクシミリ装置の第９実施形態を示す図であり、本実施形態は請求項９記載の発明に対応している。なお、本実施形態は、上述第１実施形態と略同様に構成されているため同様な構成には同一の符号を付してその説明を省略する。
図18において、51はバス19に接続された番号登録部であり、この番号登録部51はワンタッチキーや短縮キーなどの登録キーにより発呼する電話番号を登録するようになっており、予め操作表示部12から任意の電話番号をテンキーによりワンタッチキーや短縮キーに対応させて入力し登録することができる。
【００７３】
また、システム制御部11は、番号登録部51への登録を行なう際に発ＩＤを参照するモードが選択された場合には発ＩＤ格納部22から格納する発ＩＤを読み出して表示器12ａに表示させるようになっており、オペレータによりその何れかが選択されたときにはその発ＩＤの電話番号をワンタッチキーや短縮キーに対応させて登録する。すなわち、番号登録部51が番号登録手段を、発ＩＤ格納部22が番号メモリ機能を構成し、システム制御部11がメモリ制御手段を構成している。
【００７４】
次に、本実施形態でのワンタッチキーや短縮キーに対応させての電話番号の登録を図19のフローチャートを用いて説明する。
まず、オペレータにより操作表示部12から電話番号の登録が選択され（ステップＰ121）、次いで、登録するワンタッチキーや短縮キーが選択され（ステップＰ122）、さらに、発ＩＤの参照モードが選択された（ステップＰ123）場合には、発ＩＤ格納部22から格納する電話番号が格納順に順次読み出されて表示器12に表示される（ステップＰ124）一方、発ＩＤの参照モードが選択されることなくテンキーにより番号が入力されるとその番号が表示器12ａに表示される（ステップＰ125）。
【００７５】
そして、その電話番号を登録する図示していない確定キーが押下されると、その電話番号が選択されたキーに対応して登録される（ステップＰ126）。
したがって、受信実績のある電話番号は発ＩＤ格納部22を参照することにより、その電話番号を転用してワンタッチ／短縮ダイヤルするための電話番号として表示選択して登録することができ、受信のあった相手先に発呼する場合にはその電話番号を操作表示部12から入力することなく、その電話番号を利用して発呼することができる。
【００７６】
このように本実施形態においては、上述実施形態の作用効果に加え、発ＩＤ格納部22に格納された発ＩＤの電話番号を表示選択するだけでそのままワンタッチ／短縮ダイヤルキーに対応させて登録することができ、電話番号の入力操作を省くことができる。したがって、操作性をより向上させることができる。
ここで、本実施形態では、発ＩＤ格納部22に格納する電話番号を参照して番号登録部51に転用登録する一例を説明しているが、上述実施形態において登録した受信容認番号格納部41に格納する電話番号を参照しそのままワンタッチ／短縮ダイヤルキーに対応させて登録できるように構成してもよい。すなわち、受信容認番号格納部41によりメモリ機能を構成する。このように構成することによって、受信容認番号格納部41に自動登録した電話番号を転用して番号登録部51に登録するすることにより電話番号の入力操作が一切不要になる。また逆に、番号登録部51に登録する電話番号を表示選択することにより、受信容認番号格納部41に転用して登録できるように構成してもよく、操作性をより向上させることもできる。
【００７７】
なお、上述実施形態では、発呼側情報（発ＩＤ）として電話番号を利用する場合を説明しているが、相手先名称や通信種別などの他の情報を受け取ることができる場合にはその情報を利用するようにしてもよい。
【図面の簡単な説明】
【００７８】
【図１】本発明に係るファクシミリ装置の第１実施形態の全体構成を示す図であり、そのブロック図である。
【図２】その発呼側情報の受信およびファクシミリ受信の処理を説明するフローチャートである。
【図３】本発明に係るファクシミリ装置の第２実施形態の第１実施形態への追加構成を示す図であり、そのブロック図である。
【図４】そのファクシミリ受信を拒否する相手先の登録を説明するフローチャートである。
【図５】その発呼側情報の受信およびファクシミリ受信の処理を説明するフローチャートである。
【図６】本発明に係るファクシミリ装置の第３実施形態の第１実施形態への追加構成を示す図であり、そのブロック図である。
【図７】そのファクシミリ受信を容認する相手先の登録を説明するフローチャートである。
【図８】その発呼側情報の受信およびファクシミリ受信の処理を説明するフローチャートである。
【図９】本発明に係るファクシミリ装置の第４実施形態の要部を示す図であり、その概念図である。
【図１０】そのファクシミリ受信を拒否する相手先の登録を説明するフローチャートである。
【図１１】本発明に係るファクシミリ装置の第５実施形態を示す図であり、そのファクシミリ受信を容認する相手先の登録を説明するフローチャートである。
【図１２】本発明に係るファクシミリ装置の第６実施形態の要部を示す図であり、その概略平面図である。
【図１３】その発呼側情報の受信および表示する情報の切替を説明するフローチャートである。
【図１４】本発明に係るファクシミリ装置の第７実施形態の要部を示す図であり、その概念図である。
【図１５】その受信を容認する相手先の登録を説明するフローチャートである。
【図１６】その発呼側情報の受信および通話／ファクシミリの受信処理を説明するフローチャートである。
【図１７】本発明に係るファクシミリ装置の第８実施形態を示す図であり、そのファクシミリ受信を容認する相手先の登録を説明するフローチャートである。
【図１８】本発明に係るファクシミリ装置の第９実施形態の第１実施形態への追加構成を示す図であり、そのブロック図である。
【図１９】その電話番号の転用登録を説明するフローチャートである。
【符号の説明】
【００７９】
11    システム制御部（手順実行手段、表示制御手段、中断手段、拒否判断手段、受信拒否手段、容認判断手段、拒否登録制御手段、容認登録制御手段、情報識別手段、容認種別判断手段、通信実行手段、容認種別登録制御手段、およびメモリ制御手段）
12    操作表示部
12ａ    表示器（情報表示手段）
12ｂ    切替キー（選択手段）
13    網制御部（信号検出手段）
14    モデム
15    通信制御部
16    符号化復号化部
17    スキャナ
18    プロッタ
19    バス
21    Ｖ．２３モデム（情報受信手段を）
22    発ＩＤ格納部（受信実績格納手段、中断実績格納手段、および番号メモリ機能）
31    受信拒否番号格納部（拒否登録手段）
41    受信容認番号格納部（容認登録手段、容認種別登録手段、および番号メモリ機能）
51    番号登録部（番号登録手段）
【図１】
2005312074.tif 000003
【図２】
2005312074.tif 000004
【図３】
2005312074.tif 000005
【図４】
2005312074.tif 000006
【図５】
2005312074.tif 000007
【図６】
2005312074.tif 000008
【図７】
2005312074.tif 000009
【図８】
2005312074.tif 000010
【図９】
2005312074.tif 000011
【図１０】
2005312074.tif 000012
【図１１】
2005312074.tif 000013
【図１２】
2005312074.tif 000014
【図１３】
2005312074.tif 000015
【図１４】
2005312074.tif 000016
【図１５】
2005312074.tif 000017
【図１６】
2005312074.tif 000018
【図１７】
2005312074.tif 000019
【図１８】
2005312074.tif 000020
【図１９】
2005312074.tif 000021